(57)【要約】【課題】多数のユーザーがコピーを共用し、書籍などの厚みのある原稿をフラットベッドを用いて読み取りする場合でも、ユーザーのまぶしさが軽減できる画像読取装置を提供する。【解決手段】開閉自在なプラテンカバー３を有し、原稿を設置するためのフラットベッド２と、フラットベッド２に沿って光源部８を移動させながら、原稿に光を照射して原稿の読み取り走査を実行する読取走査部１０と、ガイダンス音声を発生可能な音声発生部１２０を有する制御部１００とを備え、制御部１００は、原稿の読取指令を受け付けたときに、プラテンカバー３の開状態を検出した場合には、プラテンカバー３が開いた状態で読取されること警告するガイダンス音声を出力した後に、読取走査部１０による原稿の読取走査を開始するようにした。【選択図】図２
2009272805.tif 000002
【特許請求の範囲】
【請求項１】
開閉自在なプラテンカバーを有し、原稿を設置するためのフラットベッドと、
上記フラットベッドに沿って光源部を移動させながら、上記原稿に光を照射して原稿の読み取り走査を実行する読取走査部と、
ガイダンス音声を発生可能な音声発生部を有する制御部とを備え、
上記制御部は、原稿の読取指令を受け付けたときに、プラテンカバーの開状態を検出した場合には、上記プラテンカバーが開いた状態で読取されること警告するガイダンス音声を出力した後に、上記読取走査部による原稿の読取走査を開始するようにしたことを特徴とする画像読取装置。
【請求項２】
請求項１または２において、
上記制御部は、上記ガイダンス音声を出力してから所定時間経過した後に、原稿の読取走査を開始させる遅延手段を更に備えたことを特徴とする画像読取装置。
【発明の詳細な説明】
【技術分野】
【０００１】
本発明は、光学的に原稿を読み取るためのフラットベット型の画像読取装置の改良に関する。
【背景技術】
【０００２】
一般に、光学的に原稿の読取を行うためのフラットベット型の画像読取装置は、厚みのある書籍などの原稿が置かれるフラットベッドと、フラットベッドを開閉自在に覆うプラテンカバーとを備えている。また、フラットベッドに沿って移動して原稿を照射する光源部を有する読取走査部を備えている。
【０００３】
このようなフラットベット型画像読取装置の原稿を照明するには、従来、蛍光管や冷陰極管が使用されていた。しかし、近年、原稿を撮影する撮影部の露光時間を短くして読み取り速度を向上させるという目的のために、より輝度の高いLEDアレイが光源部に使用されるようになってきている。
【０００４】
ただし、輝度の高いLEDアレイを用いた画像読取装置で原稿を読み取る場合、プラテンカバーを閉めない状態で、原稿を読み取ると、光源からの光の一部が、ユーザの眼に入ってまぶしく感じられるという不具合があった。
【０００５】
従来のような蛍光管や冷陰極管の光源の場合は、光量はそれ程高くなく、光源を見てしまってもそれ程問題にはならなかった。しかし、近年のように光源が高輝度ＬＥＤアレイの場合には、ユーザにとって非常にまぶしく感じてしまうという問題がある。
【０００６】
このような事態を解消するための技術として、例えば、特許文献１には、光量の累積値が所定値を超えたら警告をだすという方法が開示されている。
【０００７】
この方法では、光量の累積値が所定値を超えたらユーザーに光源の光からの回避をさせることができるなど、光量の累積値を管理できるので、ユーザがまぶしく感じる状況を低減できる。
【特許文献１】特開昭６３−２３４１３４号公報
【発明の開示】
【発明が解決しようとする課題】
【０００８】
上述の特許文献１に開示された画像読取装置では、ユーザが１人の場合は、光量の累積値を管理できる。しかし、普通のオフィスのように多数のユーザがコピーを共用している場合などには、各々のユーザの光量の累積値を管理できない。そのため、ユーザがまぶしく感じる状況を低減できないという問題があった。
【０００９】
本発明は上記事情に鑑みてなされたものであり、多数のユーザーがコピーを共用し、書籍などの厚みのある原稿をフラットベッドを用いて読み取りする場合でも、ユーザーのまぶしさが軽減できる画像読取装置を提供する。
【課題を解決するための手段】
【００１０】
上記目的を解決するために、本発明の画像読取装置は、開閉自在なプラテンカバーを有し、原稿を設置するためのフラットベッドと、上記フラットベッドに沿って光源部を移動させながら、上記原稿に光を照射して原稿の読み取り走査を実行する読取走査部とガイダンス音声を発生可能な音声発生部を有する制御部とを備え、上記制御部は、原稿の読取指令を受け付けたときに、プラテンカバーの開状態を検出した場合には、上記プラテンカバーが開いた状態で読取されること警告するガイダンス音声を出力した後に、上記読取走査部による原稿の読取走査を開始するようにしたことを特徴とする。
【００１１】
ここで、上記制御部は、上記ガイダンス音声を出力してから所定時間経過した後に、原稿の読取走査を開始させる遅延手段を更に備えることが好ましい。
【発明の効果】
【００１２】
本発明によれば、プラテンカバーを開けた状態で原稿をスキャンしょうとすると、プラテンカバーが開いた状態での読取であることを警告するガイダンス音声が流れる。そして、ユーザーに対して光源がまぶしいことを予め警告できる。ユーザーはこれを聞いて、目をそらすなど、光源からの光が直接目に入らないように回避できる。
【００１３】
そのため、多数のユーザがコピーを共用している場合でも、ユーザがまぶしく感じる状況を低減できる。
【００１４】
また、ガイダンス音声を出力してから所定時間経過した後に、原稿の読取走査を開始させる遅延手段を更に備えれば、ユーザーが回避行動をとる余裕が与えられる。
【発明を実施するための最良の形態】
【００１５】
以下、添付図面を参照しながら本発明の好ましい実施の一形態について説明する。図１は、本発明の実施の形態の画像読取装置１の構成を示す説明図であり、図２は、画像読取装置１の制御部１００の構成を示すブロック図である。また、図３は、制御部１００の音声発生部１２０の構成を示すブロック図である。
【００１６】
画像読取装置１は、ここではスキャナ装置と、プリンタ装置と、コピー装置とを兼用するオフィス用複合機を想定している。
【００１７】
この画像読取装置１は、図１に示すように、原稿が置かれるフラットベッド２と、このフラットベッド２を開閉自在に覆うプラテンカバー３と、本体２１の前方に設けられた操作パネル４と、本体２１の向かって右側の側面に設けられた記録紙挿入部５とを備えている。
【００１８】
ここで、フラットベッド２は、画像読取装置１の本体２１の上面に設けられたプラテンガラスによって構成されている。
【００１９】
また、プラテンカバー３は、原稿の読み取り時にフラットベッド２を遮光し、画像読取装置１の本体２１の上面にヒンジ６を介して開閉自在に取り付けられている。
【００２０】
ヒンジ６には、プラテンカバー３が閉じる直前に導通する電気スイッチ等で構成されるプラテンカバー状態検知部７(図２)が付設されている。そして、このプラテンカバー状態検知部７により、プラテンカバー３の開閉状態を検出できるようになっている。
【００２１】
操作パネル４は、読取開始を指令するスタートボタン２２等の各種操作キー４bと、液晶パネル等からなる表示窓２４とで構成されている。
【００２２】
また、図１には示していないが、この画像読取装置１は、本体２１の内部に、読取走査部１０(図２) が内蔵されている。この読取走査部１０は、フラットベッド２に沿って移動して原稿を照射する光源部８(図２) と、光源部８から照射された光によって原稿を撮影する撮影部９(図２)とを有している。撮影部９は、原稿を撮影する撮影素子としてＣＣＤ（チャージカップルドデバイス）により原稿を撮影するように構成されている。
【００２３】
また、この画像読取装置１は、本体２１の内部に、読み取った原稿等を印刷して出力する印刷部１１(図２)を内蔵している。
【００２４】
さらに、この画像読取装置１は、本体２１の内部に、図２に示す制御部１００を備えている。
【００２５】
ここで、制御部１００は、パーソナルコンピュータ等の通信装置１２とネットワーク１３等を通じて通信する通信部１０１と、ＣＰＵ（セントラルプロセッシングユニット）１０２を備えている。また、ＲＯＭ（リードオンリーメモリ）１０３と、SＲＡＭ（スタティックランダムアクセスメモリ）１０４とを備えている。そして、ＣＰＵ１０２は、シリアルバス１１１を介して音声発生部１２０ (図３)と接続されている。
【００２６】
制御部１００は、また、読取を制御する読取制御部１０５と、原稿を読み取った画像データに所定の画像処理を施す読取用画像処理回路１０６とを備えている。
【００２７】
読取制御部１０５には、プラテンカバー状態検知部７と、特に高輝度のＬＥＤ（ライトエミッティングダイオード）アレイが設けられた光源部８と、光源部８の移動を制御するモータ１１２のドライバ回路１１３が接続されている。
【００２８】
また、読取用画像処理回路１０６は、撮影部９に接続されている。
【００２９】
制御部１００は、また、印刷すべき画像データの色空間の変換等を行う印刷用画像処理回路１０７と、画像データに対してファイル形式の変換を行うコーデック１０９とを備えている。また、制御部１００は、読み取った画像データあるいは印刷すべき画像データを蓄積する画像メモリ１１０を備えている。
【００３０】
一方、音声発生部１２０は、図３に示すように、シリアルバス１１１を介して図１のＣＰＵ１０２に接続されるSUB-MPU１２１と、ROM１２２と、RAM１２３とを備えている。また、この音声発生部１２０は、音声複合部１２４と、アナログフロントエンド１２５と、AF-AMP１２６と、スピーカー１２７とを備えている。
【００３１】
ここで、音声複合部１２４は、プラテンカバー３が開いた状態における読取であることを警告する「光源を見つめないでください。」というガイダンス音声を合成可能に構成される。
【００３２】
また、アナログフロントエンド１２５は、合成されたガイダンス音声をアナログ信号で出力する。
【００３３】
また、AF-AMP１２６は、アナログ出力されたガイダンス音声を増幅するアンプである。
【００３４】
そして、スピーカー１２７は、増幅されたガイダンス音声を発生させる。
【００３５】
音声発生部１２０のSUB-MPU１２１は、プラテンカバー３が開状態において原稿の読取指令がでていることを示す信号をシリアルバス１１１を介してＣＰＵ１０２から受け取った場合には、「光源を見つめないでください。」というガイダンス音声を、スピーカー１２７を介して発生させる。そして、その後で、読取走査部１０に原稿の読み取りを開始するようにＣＰＵ１０２に信号を送る。
【００３６】
ここで、SUB-MPU１２１は、詳細は図示しないが、遅延手段としてタイマー機能を備えている。そして、「光源を見つめないでください。」というガイダンス音声を音声発生部１２０に発生させてから所定時間経過した後に、読取走査部１０に原稿の読み取りを開始するようにＣＰＵ１０２に信号を送るように構成されている。
【００３７】
次に図２を参照して、本発明の実施の形態に係る画像読取装置１の作用について説明する。
【００３８】
画像読取装置１の基本動作は、従来の装置のオフィス用複合機と基本的に同様である。すなわち、スキャナ装置としては、操作パネル４の操作に応じて、フラットベッド２に置かれた原稿を読み取り、その画像データをネットワーク１３を通じて通信装置１２に伝送する。また、プリンタ装置としては、ネットワーク１３を通じて通信装置１２から印刷指令と共に画像データを受け付け、受け付けた画像データを記録紙に印刷して出力する。さらに、コピー装置としては、操作パネル４の操作に応じて、フラットベッド２に置かれた原稿を読み取り、読み取った画像データを記録紙に印刷して出力する。
【００３９】
ここで、画像読取装置１の走査撮影では、原稿が置かれたフラットベッド２に沿って光源部８を平行移動させつつ、光源部８から照射した光を原稿で反射させ、更に反射ミラー等で撮影部９に導いて、反射光が結像された原稿の部分像を逐次撮影する。部分像は画像データとして撮影順序に従って連結される。
【００４０】
ここで、制御部１００の制御のうち、ガイダンス音声の発生の制御について説明する。図４は、制御部１００のガイダンス音声の発生の制御を示すフローチャートである。
【００４１】
画像読取装置１の制御部１００においては、図４に示すように、まず、ステップＳ１において、スタートボタンが押されると、ステップＳ２において、プラテンカバー３が開かどうかがＣＰＵ１０２により判定される。そして、ＮＯの場合は、ステップＳ６に進んで、ＣＰＵ１０２は、通常の読み取りと判断し、光源部８が点灯する。
【００４２】
また、ステップＳ２において、ＹＥＳすなわち、プラテンカバー３が開とＣＰＵ１０２が判断した場合は、ステップＳ３に進み、スキャン動作の前に音声メッセージが再生される。すなわち、音声案内で、「光源を見つめないでください。」などの注意を出し、作業者が光源から目をそらすように促す。
【００４３】
そして、このように、音声メッセージが再生された後、ステップＳ４においてＣＰＵ１０２のタイマー機能がスタートし、ステップＳ５において、このタイマーがタイムアップしたかどうかが判断される。この時、ＮＯの場合は、タイマーがタイムアップするまで、ステップＳ５が繰り返される。
【００４４】
また、ステップＳ５において、ＹＥＳすなわち、ＣＰＵ１０２のタイマーがタイムアップしたと判断された場合は、ステップＳ６に進む。そして、ユーザーが何らかの回避行動をとったものとして、通常の読み取りと同様に、光源部８が点灯する。
【００４５】
この時、読取制御部１０５が、光源部８を点灯させ、また、ドライバ回路１１３を介してモータ１１２の回転を開始させる。このモータ１１２の回転によって、光源部８は待機位置からフラットベッド２に沿って平行移動する。
【００４６】
その後、原稿の始端から終端まで光源部８を定速度で移動させながら、所定の時間間隔で撮影部９を作動させて、原稿を終端まで走査撮影して原稿をスキャンする。
【００４７】
そして、ステップＳ７に進み、原稿がスキャンされた後は、ステップＳ８において読み取りが終了したかどうかをＣＰＵ１０２が判断する。この時、ＮＯの場合すなわち、読み取りが終了していないときは、ステップＳ７に戻って原稿のスキャンが継続される。また、ステップＳ８において、ＹＥＳすなわち、読み取りが終了したと判断された場合は、原稿の終端まで撮影が完了したものとしてステップＳ９に進み光源部８を消灯させ、モータの回転を停止させる。
【００４８】
その後、ステップＳ９において、モータ１１２を逆回転させて、光源部８を待機位置に復帰させるというキャリッジの複動を行い、ＣＰＵ１０２は、ステップＳ１１において一連の制御を終了する。
【００４９】
以上説明したように、本発明の実施の形態に係る画像読取装置１によれば、プラテンカバー３を開けた状態で原稿をスキャンしょうとすると、プラテンカバー３が開いた状態での読取であることを警告するガイダンス音声が流れる。そして、ユーザーに対して光源がまぶしいことを予め警告できる。そのため、ユーザーはこれを聞いて、目をそらすなど、光源からの光が直接目に入らないように回避できる。
【００５０】
また、プラテンカバー３が開いた状態における読取であることを警告するガイダンス音声を音声発生部１２０が発生させてから、所定時間経過した後に、読取走査部１０は、原稿の読み取りを開始するので、ユーザーが回避する余裕が与えられる。
【００５１】
上述した実施の形態は本発明の好ましい具体例を例示したものに過ぎず、本発明は上述した実施の形態に限定されない。
【００５２】
例えば、画像読取装置１は、必ずしもスキャナ装置と、プリンタ装置と、コピー装置とを兼用するオフィス用複合機に限定されない。例えば、ファクシミリ複合機、スキャナ専用装置、コピー専用装置等にも適用できる。
【００５３】
また、プラテンカバー状態検知部７は、必ずしもプラテンカバー３が閉じる直前に導通する電気スイッチ等でヒンジ６に構成されるものに限定されない。上記実施例では、プラテンカバー３の開閉状態を検知するプラテンカバー状態検知部７を設けていたが、例えば、フラットベッド２にかかる荷重を検知する荷重検知部を設け、所定値以上の荷重を検知したときには、読み取るべき原稿をブック原稿とみなすように構成してもよい。このような荷重検知部は、プラテンガラスと、プラテンガラス支持部との間に圧電素子等を配置して実現できる。
【００５４】
また、プラテンカバー３が開いた状態における読み取りを警告するガイダンス音声は、「光源を見つめないでください。」というガイダンス音声に限定されず、種々の変更が可能である。
【００５５】
さらに、特に本発明に関連しないが、プラテンカバー３には、ＡＤＦ（オートドキュメントフィーダ）を備えてもよい。
【００５６】
その他、本発明の特許請求の範囲内で種々の設計変更が可能であることはいうまでもない。
【図面の簡単な説明】
【００５７】
【図１】本発明の実施の形態の画像読取装置の構成を示す説明図である。
【図２】画像読取装置の制御部の構成を示すブロック図である。
【図３】制御部の音声発生部の構成を示すブロック図である
【図４】制御部のガイダンス音声の発生にかかる制御要領を示すフローチャートである。
【符号の説明】
【００５８】
１    画像読取装置
２    フラットベッド
３    プラテンカバー
８    光源部
１０  読取走査部
１００  制御部
１０２  ＣＰＵ(遅延手段) 
１２０  音声発生部
【図１】
2009272805.tif 000003
【図２】
2009272805.tif 000004
【図３】
2009272805.tif 000005
【図４】
2009272805.tif 000006